(57)【要約】【課題】本発明の軸対称靴下は、左右上下の履き間違いによる履き直しを防止し、できるだけ靴下の対称性を高めて代価性を高くした靴下を提供することを目的とする。【解決手段】本発明に係る軸対称靴下は、筒状の履口部及び本体部（レッグ部、踵部、足部）と、爪先部とを連続させて筒編みした、表面と裏面とを有する靴下であって、前記筒状の履口部及び本体部を貫通する中心軸に対して、前記踵部の表面が軸対称の筒状帯である。【選択図】  図１
2013142205.tif 000002
【特許請求の範囲】
【請求項１】
筒状の履口部及び本体部（レッグ部、踵部、足部）と、爪先部とを連続させて筒編みした、表面と裏面とを有する靴下であって、
前記筒状の履口部及び本体部を貫通する中心軸に対して、
前記踵部の表面が軸対称の筒状帯である軸対称靴下。
【請求項２】
前記中心軸に対して、
前記靴下の表面が回転対称性を有する請求項１に記載の軸対称靴下。
【請求項３】
前記中心軸に対して、
前記靴下の表面が反転対称性を有する請求項１に記載の軸対称靴下。
【請求項４】
前記中心軸に対して、
前記靴下の表面が反転二回対称性を有する請求項１に記載の軸対称靴下。
【請求項５】
前記筒状帯の踵部は、細密構造とした請求項１に記載の軸対称靴下。
【請求項６】
前記爪先部は、細密構造とした請求項１に記載の軸対称靴下。
【発明の詳細な説明】
【技術分野】
【０００１】
本発明は、筒状の履口部及び本体部を貫通する中心軸に対して、前記靴下の表面が高い対称性を有する軸対称靴下に関するものである。
【背景技術】
【０００２】
特許文献１に記載されているように従来の靴下は、図７を参照して、ゴム編またはゴム糸を挿入したメリヤス編等により履口部１１０を編成し、筒編によりメリヤス編等の任意の組織で本体部１０１（レッグ部１２０、踵部１３２、足部１４０）を任意の長さに編成する。その途中で公知の手段によりゴアラインを中心として何回も減らし目、増やし目を行って踵部１３２を形成し、更に足部１４０の甲部１４２と底部１４４を筒編により形成し、爪先部１５０を編目の変化により形を整えて形成し、輪状の開口１５２が残り、この開口１５２の周囲にリンキングコースを介して数コースの捨て編地を設けた状態の編放し靴下１００として靴下の編成を終わる。
【０００３】
上記のような開口１５２を、特許文献１の発明では、編放し靴下１００を裏返すことなくこのままの状態で編み機から外し、直ちに表側から二本針を有する環縫ミシンによる二重環縫または一本針環縫ミシンによる単環縫などのかがり縫い目により逢着して、開口１５２を閉じ、この際生じる空環縫い部分を鈎針で編放し靴下１００の裏側に引き込むことで処理している。したがって、編放し靴下１００を靴下編機から外して裏返し、開口１５２の周囲の編目をリンキング機の各針に一つずつ掛けた後リンキング機により縫い合わせて開口１５２を閉じ、捨て編地を切り離す等といった手間が省略でき、著しく製造工程を簡素化することができる。
【０００４】
また、特許文献２には、従来の二重靴下の爪先部（開口部）の縫製作業を省略して低コストで履心地を改善した二重靴下の製造方法が開示されている。すなわち、図８（ａ）、（ｂ）のように、二重靴下の外側又は内側の履口部（ゴム編部）２１０から編み始め、該靴下のレッグ部（脚部）２２０、踵部２３２、足部２４０、爪先部２５０に連続して、他方となる靴下の爪先部２５０、足部２４０、踵部２３２、レッグ部（脚部）２２０、履口部（ゴム編部）２１０を編んだ後、両靴下の爪先部２５０の境界を線上に縫い、両靴下の一方を表がえす二重靴下の製造方法である。このように、縫目２５４を起点として両靴下の一方を表がえすことにより、図８（ｃ）のような二重靴下を得ることができる。
【０００５】
これら靴下の本体部であるレッグ部、踵部、足部、および爪先部、履口部は、いずれもどのような編み方で編成してもよく、例えば、平編み、メッシュ編、パイル編み又はこれらの組み合わせにより編成することができる。特許文献３、４に記載されているように、履口部、レッグ部等をパイル編のシンカー乗せ編みや平編のシンカー乗せ編みにより編成してもよい。
【０００６】
【特許文献１】特開平８−２１８２０３号公報
【特許文献２】特開平１０−２５９５０６号公報
【特許文献３】特開平２００１−３０３４０４号公報
【特許文献３】特開平２００６−２８３２５８号公報
【発明の概要】
【発明が解決しようとする課題】
【０００７】
上記のような従来の靴下は、図７、図８（ｃ）のように、履口部と爪先部を逆方向に引っ張って伸長させると、踵部を頂点としたくの字型に成型されるのが常であった。そのため、上述のように、ゴアラインを中心として何回も減らし目、増やし目を行って、あるいは、編目の変化により形を整えて踵部を形成する必要が有った。また、爪先部を編成する際にも同様の手間が必要であった。
【０００８】
したがって、図８（ａ）のような編放し靴下２００を編成すると、側面視で図８（ｂ）のような突起が爪先部２５０と踵部２３２に生じ、靴下２００は筒状の履口部及び本体部を貫通する中心軸に対して対称な形となっていなかった。このため、朝急いで靴下を履くときでも、必ず踵部の位置を確かめて、踵の位置がずれないように靴下を慎重に着用する必要があった。
【０００９】
これに加え、爪先部も指の長さを考慮して、親指、人差し指から小指まで傾斜がつくように、あるいは各指の長さに合わせて指別れするように、編目を変化させ形を整えて爪先部を編成する靴下が殆どである。このような場合、左右一対の靴下は、踵と指合わせを考慮すると、左右両足に対する履き方は一通りに限定されてしまい、左右上下の履き間違いは一切許されず、非常に不便である。
【００１０】
さらに、このような従来の左右一対の靴下は、片方の靴下に穴が開くなど使用不能となれば、他方の靴下は十分使用できるにも拘らず両方を破棄する必要が有るなど、経済性にも問題がある。また、洗濯後の整理・保管の際にも逐一組み合わせを確認してしまわなければならず面倒である。
【００１１】
そこで本発明は、左右上下の履き間違いによる履き直しを防止し、できるだけ靴下の対称性を高めて代価性を高くした靴下を提供することを目的とする。
【課題を解決するための手段】
【００１２】
本発明に係る軸対称靴下は、筒状の履口部及び本体部（レッグ部、踵部、足部）と、爪先部とを連続させて筒編みした、表面と裏面とを有する靴下であって、前記筒状の履口部及び本体部を貫通する中心軸に対して、前記踵部の表面（または裏面）が軸対称の筒状帯である。ここで「筒状帯」とは、円筒形、楕円状筒型を含むあらゆる軸対称形状の中空の帯状体を含む。
【００１３】
本発明に係る軸対称靴下は、前記中心軸に対して、前記靴下の表面が回転対称性を有するのが好ましい。ここで「回転対称性」とは、あらゆる中心軸の周りの回転に対して形状が不変となる対称性をいう。
【００１４】
本発明に係る軸対称靴下は、前記中心軸に対して、前記靴下の表面が反転対称性を有してもよい。ここで「反転対称性」とは、中心軸の周りに反転、即ち１８０度回転させた場合、形状が元の形状と一致する対称性をいう。前記軸対称靴下の前記足部のうち、足の甲に当接する部分を上部と、足の裏に当接する部分を下部とすると、本発明の軸対称靴下は、上下対称となる。
【００１５】
本発明に係る軸対称靴下は、前記中心軸に対して、前記靴下の表面が反転二回対称としてもよい。ここで「反転二回対称性」とは、中心軸の周りに２回反転、即ち３６０度回転させた場合、初めて形状が元の形状と一致する対称性をいう。本発明の軸対称靴下は、単体では対称性が失われるが、踵部が軸対称の筒状帯であるので、左右一対の軸対称靴下間で２通りの履き替えを行うことができる。
【００１６】
本発明に係る軸対称靴下において、前記筒状帯の踵部は、細密構造とするのが好ましい。このため、前記筒状帯の踵部は、耐久性に富んだ構造となる。
【００１７】
本発明に係る軸対称靴下において、前記爪先部は、細密構造としてもよい。このため、前記爪先部は、耐久性に富んだ構造となる。
【発明の効果】
【００１８】
本発明の軸対称靴下は、筒状の履口部及び本体部（レッグ部、踵部、足部）を貫通する中心軸に対して踵部が軸対称の筒状帯であり、当該中心軸に対して本体部が回転対称性を有しているので、従来の靴下のように踵の位置合わせをする煩わしさから解放される。
【００１９】
さらに、上記中心軸に対して靴下の表面が回転対称性を有している場合、すなわち、履口部から爪先部までの靴下全体が中心軸に対して回転対称性を有している場合は、爪先の形に注意を払う必要もなく、本発明の軸対称靴下をどのように履いても履き間違いを起こさずスムーズ・迅速に靴下を着用することができる。
【００２０】
このような回転対称性を有する本発明の軸対称靴下は、着用時に踵が筒状帯の踵部のどの部分に当たってもよいので、従来の靴下のように踵部のみがすり減りやすく破れ易いといった不都合・不経済を解消することができる。また、左右の靴下の区別が全くないので、着用時に確認の必要がなくなる。さらに、例えば３組セットなどで購入しても、６本とも同形同型であるので、対にして保管する必要もなく、１〜２足が使用できなくなっても残りの軸対称靴下を自由に組み合わせて使用でき、非常に経済的である。
【００２１】
本発明に係る軸対称靴下は、前記中心軸に対して、前記本体部の表面が反転対称であってもよく、上記のように軸対称靴下の足部のうち、足の甲に当接する部分を上部と、足の裏に当接する部分を下部とすると、本発明の軸対称靴下は、上下対称となる。このように反転対称の場合、左右の靴下の区別もないので、左右の履き間違いをすることもなく、また、上記のように多数の靴下を自由に組み合わせて使用することもできる。
【００２２】
本発明の軸対称靴下が中心軸に対して二回対称の場合は、単体では回転に対する対称性が失われて従来の靴下と同等となるが、踵部が軸対称の筒状帯であるので踵合わせの労は免れることができ、左右一対の軸対称靴下間で上下を交代させることにより２通りの履き替えを行うことができる。
【００２３】
本発明に係る軸対称靴下において、筒状帯の踵部を細密構造とすることにより、耐久性に富んだ構造とすることができる。また、傷みやすい爪先部においても細密構造を採用して耐久性を高めることができる。
【図面の簡単な説明】
【００２４】
【図１】本発明に係る回転対称の軸対称靴下の斜視図。
【図２】本発明に係る軸対称靴下の履口部及び本体部の斜視図。
【図３】本発明に係る軸対称靴下の着用時における側面図。
【図４】本発明に係る反転対称の軸対称靴下の斜視図。
【図５】（ａ）本発明に係る二回対称の軸対称靴下の平面図。（ｂ）本発明に係る他の二回対称の軸対称靴下の平面図。
【図６】本発明に係る軸対称靴下の製造工程における平面図。
【図７】従来の編放し靴下の側面図。
【図８】（ａ）従来の編放し靴下の製造工程における平面図、（ｂ）従来の編放し靴下の製造工程における側面図、（ｃ）従来の編放し靴下を伸長して成型した側面図。
【発明を実施するための形態】
【００２５】
本発明に係る軸対称靴下１は、図１を参照して、筒状の履口部１０及び本体部５（レッグ部２０、踵部３０、足部４０）と、爪先部５０とを連続させて筒編みした、表面と裏面とを有する靴下であって、図２に示すように、筒状の履口部１０及び本体部５を貫通する中心軸Ｘに対して、踵部３０の表面（または裏面）が軸対称の筒状帯である。
【００２６】
本発明の軸対称靴下１は、筒状の履口部１０及び本体部５を貫通する中心軸Ｘに対して踵部３０が軸対称の筒状帯であるので、従来の靴下のように踵の位置合わせをする煩わしさから解放され、急いでいるときなどでも容易に靴下を着用することができる。
【００２７】
軸対称靴下１の履口部１０、爪先部５０、および本体部５であるレッグ部２０、踵部３０、足部４０は、いずれもどのような編み方で編成してもよく、例えば、平編み、メッシュ編、パイル編み又はこれらの組み合わせにより編成することができる。上記のように、各部にパイル編のシンカー乗せ編みや平編のシンカー乗せ編みを採用して組み合わせてもよい。
【００２８】
図３のようにして上記軸対称靴下１を着用する際、本体部５のうち足の甲に当接する甲部４２を上側とし、足の裏に当接する足裏部４４を下側と定義すると、踵部３０は上側が縮んで下側が伸長することになる。したがって、筒状帯の踵部３０は伸縮性および復元性に優れた素材を使用する必要が有る。
【００２９】
また、以下詳述するが、筒状帯の踵部３０はどの部分が踵に当接してもよいように、他
のレッグ部２０、足部４０などと異なり、特に強度を増して耐久性を高める工夫が必要である。そのため、筒状帯の踵部３０は高強度の繊維による細密構造を採用するのが望ましい。その他、傷み易い爪先部５０も、同様の構成とするのが好ましい。
【００３０】
すなわち、レッグ部２０、足部４０などは、縦のラインで疎密の繰り返しの編み方をすることにより、通気性・伸縮性を確保するが、筒状帯の踵部３０および爪先部５０は伸縮性に富んだ素材で細密構造とするのが、耐久性を高める上で好ましい。
【００３１】
例えば、軸対称靴下１をポリエステル等の化学繊維と綿との合成繊維で形成する場合、筒状帯の踵部３０および爪先部５０は他の部分よりポリエステル等の化学繊維を多く含んだ糸を使用することにより、耐久性を確保することができる。
【００３２】
このような軸対称靴下１の筒状の履口部１０及び本体部５（レッグ部２０、踵部３０、足部４０）は、靴下の製造に通常使用される丸編機を用いて、例えば、ゴム編部ともよばれる履口部１０からレッグ部２０、踵部３０、足部４０、爪先部５０の順に編成される。軸対称靴下１の踵部３０は筒状帯であるので、従来のようにゴアラインを中心として何回も減らし目、増やし目を行って踵部を形成する必要がなく、一貫して筒編により形成することができる。ただし、本発明の軸対称靴下１において、爪先部５０の形状は実施例によって形状が異なるので、以下に説明することとする。
【００３３】
以下、実施例により、本発明に係る軸対称靴下１を図を用いて説明する。
【実施例１】
【００３４】
本実施例１に係る軸対称靴下１は、図１に示すように、中心軸Ｘに対して軸対称靴下１の表面が回転対称性を有している。このような軸対称靴下１は、履口部１０及び本体部５（レッグ部２０、踵部３０、足部４０）および爪先部５０を筒編により形成し、爪先部５０の先端を縫い合わせて形成することができる。
【００３５】
この場合、軸対称靴下１の製造は、図６のように履口部１０、本体部５、爪先部５０の筒編の単純な織り返しでよく、爪先部５０と履口部１０の境界を切断して爪先部５０の先端開口部を縫合するだけで大量に軸対称靴下１を生産することができる。あるいは、図２に示すような履口部１０及び本体部５のみを上記のように繰り返し筒編により形成し、足部４０と履口部１０間を切断し、足部４０の切断部に半球状の爪先部５０を縫合してもよい。
【００３６】
本実施例１の軸対称靴下１は、履口部１０から爪先部５０までの靴下全体が中心軸Ｘに対して回転対称性を有しているため、踵部３０および爪先部５０の形状に一切注意を払う必要もなく、本発明の軸対称靴下１をどのように履いても履き間違いを起こさずスムーズ・迅速に靴下を着用することができる。
【００３７】
また、このような回転対称性を有する本発明の軸対称靴下１は、着用時に踵が筒状帯の踵部３０のどの部分に当接してもよいので、従来の靴下のような特殊な形状の踵部のみがすり減り易く破れ易いといった不都合・不経済を解消することができる。同じく傷み易い爪先部５０についても、軸対称靴下１は回転対称のため傷み方が分散されるので、耐久性を高め長持ちさせることができる。
【００３８】
また、左右の靴下の区別が全くないので、着用時に左右の靴下の確認の必要がなくなる。さらに、例えば３組セットなどで購入しても、６本とも同形同型であるので、対にして保管する必要もなく、１〜２足が使用できなくなっても残りの軸対称靴下１を自由に組み合わせて使用でき、非常に経済的である。
【実施例２】
【００３９】
本実施例２に係る軸対称靴下１は、図４のように、中心軸Ｘに対して軸対称靴下１の表面が反転対称性を有している。このような軸対称靴下１は、上記実施例１と同様、履口部１０及び本体部５（レッグ部２０、踵部３０、足部４０）および爪先部５０を筒編により形成し、爪先部５０の先端（開口部）を縫い合わせて形成することができる。
【００４０】
このような反転対称性を有する軸対称靴下１は、履口部１０、本体部５および爪先部５０の断面が、図４のように楕円状であってもよい。あるいは、履口部１０、本体部５の断面は円状であるが、爪先部５０が用途等に応じて変形が加えられたために、軸対称靴下１全体として反転対称となっていてもよい。
【００４１】
本実施例の軸対称靴下は、中心軸Ｘに対して軸対称靴下１の表面が反転対称であるので、足の甲に当接する甲部４２を上部と、足の裏に当接する足裏部４４を下部とすると、軸対称靴下１は上下対称となる。したがって、左右の靴下の区別もないので、左右上下の履き間違いをすることもなく、また、上記のように多数の靴下から任意の２足を適当に選択して、自由に組み合わせて使用することもできる。
【実施例３】
【００４２】
本実施例３に係る軸対称靴下１は、中心軸Ｘに対して、軸対称靴下１の表面が反転二回対称性を有している。このような軸対称靴下１は、上記実施例１、２と同様、履口部１０及び本体部５（レッグ部２０、踵部３０、足部４０）および爪先部５０を筒編により形成し、爪先部５０の先端を縫い合わせて形成できる場合もあるが、むしろ爪先部５０を特殊な形状とするため、図２のように履口部１０及び本体部５のみを繰り返し筒編により形成し、足部４０と履口部１０間を切断し、足部４０の切断部に爪先部５０を縫合するのが好適である。
【００４３】
例えば、図５（ａ）や図５（ｂ）のように、爪先部５０に指入れを設けたり、形状を斜めにしたりした場合、軸対称靴下１は回転・反転対称性を失い、通常の突起した踵部を持つ靴下と同様、中心軸Ｘに対して二回対称となる。その分、爪先部５０の形状をいろいろに変化させることができる。
【００４４】
このような、軸対称靴下１が中心軸Ｘに対して二回対称の場合は、単体では上記のように回転・反転に対する対称性が失われて従来の靴下と同等の対称性となるものの、踵部３０が軸対称の筒状帯であるので踵合わせの労は免れることができ、左右一対の軸対称靴下１間で上下を反転させることにより２通りの履き替えを行うことができる。したがって、従来の靴下より、単純計算で約２倍の耐久性を期待することができる。あるいは、多数の軸対称靴下１の中から、任意の２足を選択して着用できて利便性も豊かである。
【００４５】
以上、本発明に係る軸対称靴下１について説明したが、本発明は上記実施形態に限定されるものではない。上記実施例においては、中心軸Ｘに対して回転・反転・二回対称の軸対称靴下１を紹介したが、その他任意の軸対称の軸対称靴下１も本発明の範囲に含まれる。また、その製造方法も任意であり、軸対称靴下１を構成する材料も任意である。
【００４６】
その他、本発明は、その主旨を逸脱しない範囲で当業者の知識に基づき種々の改良、修正、変更を加えた態様で実施できるものである。
【産業上の利用可能性】
【００４７】
本発明に係る軸対称靴下は、通常のソックスから作業用靴下、ハイソックス、ストッキング等、あらゆる足の着用物に利用することができる。
【符号の説明】
【００４８】
１  ：軸対称靴下
５  ：本体部
１０、１１０、２１０：履口部
２０、１２０、２２０：レッグ部
３０：筒状帯の踵部
４０、１４０、２４０：足部
４２、１４２、２４２：甲部
４４、１４４、２４４：足裏部
５０、１５０、２５０：爪先部
１００、２００：編放し靴下
１０１：本体部
１３２、２３２：踵部
１５２：輪状の開口
２５４：縫目
【図１】
2013142205.tif 000003
【図２】
2013142205.tif 000004
【図３】
2013142205.tif 000005
【図４】
2013142205.tif 000006
【図５】
2013142205.tif 000007
【図６】
2013142205.tif 000008
【図７】
2013142205.tif 000009
【図８】
2013142205.tif 000010